(57)【要約】【課題】病児を安心且つ安全に預けることができる病児保育システムを提供する。【解決手段】病児保育システム１は、複数の仮預り室２及び本預り室３と、仮預り室２にそれぞれ設定されている設定条件部７と、病児の保護者が予め登録された登録者であるか否かを認定する登録者要件認定部５と、病児の容態を記憶する容態記憶部６と、病児を収容すべき仮預り室を決定する仮預り室決定部８と、仮預り室の情報を登録者の端末又はサーバーに送る仮預り室情報送信部９と、医師による診察結果及び本預り室の情報が記憶される病児状況記憶部１０と、病児状況記憶部内の情報を登録者の端末又はサーバーに送る病児状況送信部１１とを備えている。【選択図】        図１
2018073305.tif 000002
【特許請求の範囲】
【請求項１】
病児を収容するためにそれぞれが隔てられて形成された複数の仮預り室及び本預り室と、
該仮預り室にそれぞれ設定されている設定条件部と、
前記病児の保護者が予め登録された登録者であるか否かを認定する登録者要件認定部と、
前記登録者の端末に入力された前記病児の容態を記憶する容態記憶部と、
該容態記憶部に記憶された前記病児の容態を前記設定条件部に設定されている設定条件に当てはめて前記病児を収容すべき前記仮預り室を決定する仮預り室決定部と、
該仮預り室決定部にて決定された前記仮預り室の情報を前記登録者の端末又はサーバーに送る仮預り室情報送信部と、
前記病児への医師による診察結果及び該診察結果により前記病児が最終的に収容されるべき本預り室の情報が記憶される病児状況記憶部と、
該病児状況記憶部内の情報を前記登録者の端末又はサーバーに送る病児状況送信部とを備えたことを特徴とする病児保育システム。
【請求項２】
前記登録者要件認定部は、前記保護者が予め設定された業種に勤務しているか否かを判断することを特徴とする請求項１に記載の病児保育システム。
【請求項３】
前記病児状況記憶部は、前記医師によって前記病児に対して発行された登園許可証の有無が記憶されることを特徴とする請求項１又は２に記載の病児保育システム。
【発明の詳細な説明】
【技術分野】
【０００１】
本発明は、法人や官公庁に勤めている利用者について、その児童が病気になった際に利用できる預かり型の病児保育システムに関するものである。
【背景技術】
【０００２】
児童が病気になった場合、養育者が仕事の都合等でやむをえず家庭での育児が困難な場合がある。このような場合、普段通わせている保育園や幼稚園では受け入れが拒否されることが多い。突然の受け入れ拒否は保護者の勤務状態を不安定にさせ、さらにこの保護者を雇用する雇用者にとっても人員不足や業務停滞を招くことになる。このため、このような病児を一時的に保育するものとして、病児保育という事業が知られている（例えば特許文献１参照）。
【０００３】
しかしながら、特許文献１の病児保育は、利用者と保育者との間でマッチングを行うものであり、病児を安心且つ安全に預けられるものではない。特に、特許文献１に記載のような訪問型の病児保育は、他人を自分の家に招いて病児の面倒を頼むものであり、第三者の監視がないため病児にとってもリスクがあるし、またプライベートな空間である自宅に他人を招くというリスクもある。したがってこのような訪問型の病児保育は多々低減されているが実際利用することを考慮すると到底現実的ではない。
【０００４】
一方で、預り型の病児保育も存在はしているが、その施設は慢性的な定員の超過（定員の少なさ）、預り時間の制約（営業時間の短さ）、かかりつけ医の診断が必要など、利用する上で多くの不便がある。
【先行技術文献】
【特許文献】
【０００５】
【特許文献１】特開２０１４−１４６１３７号公報
【発明の概要】
【発明が解決しようとする課題】
【０００６】
本発明は、上記従来技術を考慮したものであり、病児を安心且つ安全に預けることができる病児保育システムを提供することを目的とする。
【課題を解決するための手段】
【０００７】
前記目的を達成するため、本発明では、病児を収容するためにそれぞれが隔てられて形成された複数の仮預り室及び本預り室と、該仮預り室にそれぞれ設定されている設定条件部と、前記病児の保護者が予め登録された登録者であるか否かを認定する登録者要件認定部と、前記登録者の端末に入力された前記病児の容態を記憶する容態記憶部と、該容態記憶部に記憶された前記病児の容態を前記設定条件部に設定されている設定条件に当てはめて前記病児を収容すべき前記仮預り室を決定する仮預り室決定部と、該仮預り室決定部にて決定された前記仮預り室の情報を前記登録者の端末又はサーバーに送る仮預り室情報送信部と、前記病児への医師による診察結果及び該診察結果により前記病児が最終的に収容されるべき本預り室の情報が記憶される病児状況記憶部と、該病児状況記憶部内の情報を前記登録者の端末又はサーバーに送る病児状況送信部とを備えたことを特徴とする病児保育システムを提供する。
【０００８】
好ましくは、前記登録者要件認定部は、前記保護者が予め設定された業種に勤務しているか否かを判断する。
【０００９】
好ましくは、前記病児状況記憶部は、前記医師によって前記病児に対して発行された登園許可証の有無が記憶される。
【発明の効果】
【００１０】
本発明によれば、仮預り室及び本預り室を備えているため、いわゆる訪問型の保育ではなく預り型の保育を実現できる。したがって、病児を預ける保護者にとっては他の似たような病児とともに預けることができ、多くの第三者による監視も期待できるので安心して病児を預けることができる。また、病児のその日の容態が容態記憶部に記憶され、この容態が設定条件部に設定された設定条件に当てはめられて仮預り室決定部により仮預り室が決定されるので、同じような症状の病児がひとまず同じ仮預り室に収容されることになり、感染の心配がなくなる。またその仮預り室の情報が保護者の端末又はサーバーに対して仮預り室情報送信部により送られるので、保護者は病児を預ける際に明確に仮預り室情報を保育施設のスタッフに伝えることができ、スムーズに病児の引き渡しができる。病児は医師によって診察された後、本預り室が決定されてその情報が病児状況記憶部に記憶され、これが病児状況送信部によって保護者の端末又はサーバーに送信されるので、保護者にとっても逐次病児の状況を確認できて安心感を得ることができる。
【００１１】
また、保護者が予め登録された登録者であるか否かが登録者要件認定部によって認定されるので、保育施設にとっても素性のはっきりとした保護者からの病児を受け入れることが可能となり、保育サービスをスムーズ且つ安心して行うことができる。このとき、登録者の要件として予め設定された業種としておくことで、保育施設は信頼のおける業種を行っている企業や官公庁とのみ提携することができ、さらなる安心を得ることができる。
【００１２】
また、医師によって登園許可証が発行された場合にそれが病児状況記憶部に記憶されるので、その情報は病児状況送信部によって保護者の端末又はサーバーに送られることになる。このため保護者は予め明日の予定を早めに立てられることができ、保育施設側にとっても登園許可証の受け渡しをスムーズに行うことができ、効率がよい。
【図面の簡単な説明】
【００１３】
【図１】本発明に係る病児保育システムの概略図である。
【図２】本発明に係る病児保育システムを利用した保育利用の流れを示すフローチャートである。
【発明を実施するための形態】
【００１４】
本発明に係る病児保育システム１は、病院等の建物内に配設されていて複数の部屋である仮預り室２及び本預り室３と、さらにこれら預り室２、３と連関して作用するシステム本体４を備えている。仮預り室２及び本預り室３は実際に病児を収容するための空間である部屋であり、それぞれの部屋は隔壁あるいは隔壁を介した廊下等の空間にて隔てられている。上述した病院等が保育施設そのものとして利用され、したがって医師が近くにいることもあり、病児を預かるのにふさわしい場所といえる。すなわち、保育施設も含む病児保育システム１は仮預り室２及び本預り室３を備えているため、いわゆる訪問型の保育ではなく預り型の保育を実現できる。これにより、病児を預ける保護者にとっては他の似たような病児とともに自己の病児を預けることができ、多くの第三者による監視も期待できるので安心して病児を預けることができる。なお、仮預り室２と本預り室３は兼用することが可能である。
【００１５】
病児保育システム１は以下のフローで利用され、安心且つ安全に病児を預り、このましくは治療を施して保護者に病児を引き渡すものであり、さらに保育施設側にも安心且つ安全な業務を行えるようにするものである。育児中の両親や親族等の保護者が育てている児童が病気になった場合、保護者は自己の端末Ｃを用いてインターネット等を通じてシステム本体４にアクセスする（ステップＳ１）。端末Ｃとしては、ノートパソコンやスマートフォン等、どのようなものでも対応可能である。保護者は、ログイン画面にて自己の登録番号及びパスワードを入力し、システム本体４にログインする。
【００１６】
システム本体４には登録者要件認定部５が備わっていて、保護者が入力したログイン情報を基に、この保護者が予め登録された登録者であるか否かを認定される（ステップＳ２）。この認定が行われることにより、はじめて保護者は本発明に係る病児保育システム１が提供する保育サービスを受けることができる。この保護者が登録者であるか否かの認定は、保育施設提供者によって様々な条件を課すことができるが、例えば保護者が予め設定された業種に勤務しているか否かで判断される。
【００１７】
このような判断基準を登録者要件認定部５に記録しておくことで、保育サービスを提供する側はそのサービスを提供する顧客を選定でき、望ましい業務運用を行うことができる。例えば、設定する業種を昼間勤務を主としている企業や官公庁に限定することで、サービス提供時間を限定でき、保育施設側の医師やスタッフの準備を効率よく行うことができる。このようなサービスを提供する顧客を上記業種に限ることで、保育サービス提供者側は業務契約をその法人や企業（官公庁）と交わすことができ、安心且つ安全な業務遂行が期待できる。換言すれば、保護者が予め登録された登録者であるか否かが登録者要件認定部５によって認定されるので、保育施設にとっても素性のはっきりとした保護者からの病児を受け入れることが可能となり、保育サービスをスムーズ且つ安心して行うことができる。このとき、登録者の要件として予め設定された業種としておくことで、保育施設は信頼のおける業種を行っている企業や官公庁とのみ提携することができ、さらなる安心を得ることができる。この登録者要件は最も重要であり、特に保護者を雇用する企業によっては人材募集の際に福利厚生の充実をアピールできる上、勤務中の優秀な人材を確保することができることになる。
【００１８】
保護者はログイン後、病児の容態を自己の端末Ｃからシステム本体４に向けて入力する（ステップＳ３）。入力された病児の容態は、システム本体４内の容態記憶部６に記憶される。保護者の端末Ｃには様々な容態を入力する欄が表示され、保護者はその欄に病児の容態を入力していく。容態としては様々なものが考えられるが、例えば年齢、性別、体温、症状、既往症、食物や薬剤のアレルギーの有無、予防接種の有無、入院経験等を入力する。なお、基本情報として病児及び保護者の氏名、住所、電話番号、保険証番号等は入力される。症状としては例えば咳の頻度、喉の痛み度合い、おなかの痛みや吐き気、発疹の度合い、頭痛の有無、耳の痛みの有無、鼻水の有無、目脂の有無、便や尿の状態等の入力が求められる。また、薬形状の希望、通っている保育所（幼稚園）で流行っている病気、常用の処方薬（市販薬）の有無、引き渡し時間及び引き取り時間の入力を求めても良い。
【００１９】
一方で、各仮預り室２にはそれぞれ容態記憶部６が記憶すべき病児の容態の度合いに応じた収容条件が設定されている。これらの設定条件はシステム本体４内に設定条件部７として配されている。例えば各仮預り室２は最少年齢や最大年齢、性別、体温の範囲等で条件分けされている。その項目は保護者が入力する病児の容態に対応して設定されている。そして、システム本体４には仮預り室決定部７が備わっている。この仮預り室決定部８は、容態記憶部６に記憶された病児の容態に関する項目と設定条件部７内の条件とを照らし合わせて、その病児が収容される仮預り室２を決定する（ステップＳ４）。すなわち、容態記憶部６に記憶された病児の容態は設定条件部７に設定されている設定条件に当てはめられて仮預り室２が決定される。仮預り室決定部８は、例えば仮預り室２が定員となっている場合でも、時間によって収容可能かどうかまで当てはめて決定することができる。
【００２０】
このように、病児のその日の容態が容態記憶部６に記憶され、この容態が設定条件部７に設定された設定条件に当てはめられて仮預り室決定部８により仮預り室２が決定されるので、同じような症状の病児がひとまず同じ仮預り室２に収容されることになり、感染の心配がなくなる。予め隔離が必要な病状の場合には、隔離専用の仮預り室２が割り当てられる。
【００２１】
そして、仮預り室決定部８にて決定された仮預り室の情報は、システム本体４内の仮預り室情報送信部９から保護者（登録者）の端末Ｃに送られる（ステップＳ５）。これにより、保護者は保育施設に赴いて病児を預ける際に、明確に仮預り室情報を保育施設のスタッフに伝えることができ、スムーズに病児の引き渡しができる。仮預り室情報送信部９からの情報を基に、保護者は病児を連れて保育施設を訪れ、病児を施設に引き渡す（ステップＳ６）。なお、仮預り室情報送信部９が仮預り室の情報をサーバーにアップロードし、これを保護者の端末Ｃから閲覧可能としてもよい。
【００２２】
ひとまず仮預り室２に収容された病児は、その後医師によって診察される。この医師は、施設に常駐している医師によって行われる。これにより事前にかかりつけ医による受信は不要である。そして、正しい診断名が付与されて医師による判断の下に病状に応じて病児が収容されるべき本預り室３が決定される（ステップＳ７）。具体的には、隔離が必要と判断された病児は仮預り室２とは別の部屋を指定され、特に隔離が必要でない病児には仮預り室２と同じ部屋が本預り室３として指定される。この判断は、医師の判断によって適切に行われる。ここでの病児への医師による診察結果及び診察結果により病児が最終的に収容されるべき本預り室の情報は、システム本体４内の病児状況記憶部１０に記憶される。そしてこの病児状況記憶部１０内の情報は、システム４内の病児状況送信部１１によって保護者（登録者）の端末Ｃに送られる（ステップＳ８）。なお、積極的に保護者の端末Ｃに送信しなくとも、保護者のアクセスに応じて閲覧可能とするようにしてもよい。すなわち、病児状況送信部１１が本預り室や病児の状況をサーバーにアップロードし、これを保護者の端末Ｃから閲覧可能としてもよい。
【００２３】
このように、病児は医師によって診察された後、本預り室３が決定されてその情報が病児状況記憶部１０に記憶され、これが病児状況送信部１１によって保護者の端末Ｃに送信されるので、保護者にとっても逐次病児の状況を確認できて安心感を得ることができる。保護者にさらなる安心感を与えるため、病児状況記憶部１０には診断結果や本預り室３の情報の他、投薬情報や体温情報、食事の食べ具合（量など）を記憶させてもよい。
【００２４】
さらに、病児状況記憶部１０に、医師によって病児に対して発行された登園許可証の有無を記憶してもよい。これにより、医師によって登園許可証が発行された場合にそれが病児状況記憶部１０に記憶されるので、その情報は病児状況送信部１１によって保護者の端末Ｃに送られることになる。このため保護者は予め明日の予定を早めに立てられることができ、保育施設側にとっても登園許可証の受け渡しをスムーズに行うことができ、効率がよい。そして保護者は指定時刻になると病児を引き取る（ステップＳ９）。
【符号の説明】
【００２５】
１：病児保育システム、２：仮預り室、３：本預り室、４：システム本体、５：登録者要件認定部、６：容態記憶部、７：設定条件部、８：仮預り室決定部、９：仮預り室情報送信部、１０：病児状況記憶部、１１：病児状況送信部、Ｃ：保護者端末
【図１】
2018073305.tif 000003
【図２】
2018073305.tif 000004